(57)【要約】【課題】ＲＧＢ分解を用いることなく、高周波成分を落とし、使用織機の限られた色数の色を選択し、太番手の糸を用いた低密度の織物であっても色の濃淡を利用して遠近感を出して写真風織物を得る。【解決手段】写真等を光学的に読み取りフルカラー画像データとしてコンピュータに取り込む工程と、フルカラー画像データのコントラストを強調させる工程と、コントラストを強調したフルカラー画像データを高周波成分を削除して減色し、写真風柄の作成に必要な色を使用する織機の色糸限定数の範囲内で選定し、選定された色を緯糸又は上糸に割り当て擬似的にグラディエーションを有する画像データを作成する工程と、使用する織機の色糸情報と密度情報をコンピュータに入力し、これら情報に基づいて画像データを変換する工程とにより作成された織成データに従って織機を駆動させ、織物の柄を緯糸又は上糸を表面に表出させグラディエーションにより遠近感をもたせる。【選択図】図８
2006152520.tif 000002
【特許請求の範囲】
【請求項１】
コンピュータ処理されたデータにより、タオル織機で織物の表側に表出した緯糸又は上糸で柄を織物に表現する写真風織物の製織方法において、
写真、絵画等を画像入力手段により光学的に読み取り、フルカラー画像データとして、解像度が使用するタオル織機のデータに対応してピクセル調整されたコンピュータに取り込む工程と、
取り込まれたフルカラーの画像データのコントラストを強調させる工程と、
コントラストを強調したフルカラー画像データを、高周波成分を削除して減色し、減色された色のうちグラディエーションを利用して写真風柄の表現に必要な色を、使用するタオル織機の色糸限定数の範囲内で選定し、選定された色を緯糸又は上糸に割り当て、擬似的にグラディエーションを有する画像データを作成する工程と、
使用するタオル織機の色糸情報と縦方向密度情報をコンピュータに入力し、これらの情報に基いて画像データを変換する工程とにより作成された織成データに従ってタオル織機を駆動させ、織物の柄を緯糸又は上糸を表面に表出配設させ、グラディエーションを設けることにより遠近感を有する写真風に織成することを特徴とする写真風織物の製織方法。
【請求項２】
上記選定された色が、夫々の彩度と明度が互いに近い色であることを特徴とする請求項１記載の写真風織物の製織方法。
【発明の詳細な説明】
【技術分野】
【０００１】  本発明は、写真等から光学的に読み取ったフルカラーの画像データを高周波成分を削除し減色し、選定された色の緯糸又は上糸で織物の表側にグラディエーション（濃淡）により遠近感を設けた柄を表出する写真風織物の製織方法に関する。
【背景技術】
【０００２】  写真織物は、糸細番手で１インチ間の糸の打ち込み密度が高い織物織機の場合は、ＲＧＢ分解＋特色若しくはＣＭＹＫ分解＋特色を使用することで擬似的に色が混合したように目に映り、恰も写真のように見える柄を織成可能である（例えば、特許文献１、２、３、４、５又は６参照）。しかしながら、上記織成方法はＲＧＢ分解若しくはＣＭＹＫ分解を基本とし、パンチングカード枚数との関係も考慮されておらず、又、線形補間法や最近傍法を用いていない。そのため、タオル織機で織成不可能で、又、糸太番手で織成すると、手で取れる距離では写真織物に見えず、単に色糸が入り組んで織成されているように見える。輪郭周囲に輪郭内側部と同じ織り組織を入れることになるので糸太番手を用いると、輪郭が明白にならない。上記織成方法は、ネクタイ等の糸細番手を用いて高密度織機で織成する方法であって、この方法をタオル織機で節約織りをするとタオル織機の構造上、タオル織機は停止し稼動しない。【０００３】  タオル織物は、糸太番手を使用して低密度に織成されていなければタオルとしての機能を有さない。タオル織物には、吸水性、ソフトな肌触り及び柔軟性の機能が最低限必要不可欠であり、これらのうちの何れかを欠落すればタオルとしての機能を果たさない。仮に、糸細番手で織成されたタオル織物であると、ソフトな風合や吸水性に欠ける。又、高密度に織成されたタオル織物であると、ゴワゴワとした堅く重量のあるタオル織物となり柔軟性に欠け、又、高密度であることは糸の消費量が多いことを意味し、製品のコスト高を招来しタオル織物の機能を満足しないためである。安価で柔軟性、吸水性及び良好な肌触りを有する高品質のタオル織物であるためには、太番手糸を用いて低密度で織成されている必要性があり、高密度のタオル織物はタオルとして不適である。
ところで、糸太番手織物の場合、少なくとも人が手に取って製品を見る距離で見ると、ＲＧＢ分解やＣＭＹＫ分解で作成しても、糸の番手が太すぎるためＲ、Ｇ、Ｂ或はＣ、Ｍ、Ｙ、Ｋとして使用した色糸がそのままの色で明瞭に視認される。例えば、液体染料で紫色を表現する場合、ＲとＢ又はＣとＭを混合すれば日的の色を表現できるが、糸は液体染料のように混合されて別の色を生成するということはない。赤色の糸は赤色のまま、青色の糸は青色のままで、単に赤色糸と青色糸が入り組んで織り込まれているようにしか視認できない。従来、糸太番手の織物で写真織物が存在しなかったのは、このような理由による。
そのため、タオル織物のボーダ部に写真風の柄を形成するために、ボーダ部を合成フィラメント糸のみを露出したフラット面に形成し、この合成フィラメント糸のみよりなるフラット面に昇華プリントを施したものが存在する（例えば、特許文献７又は実用新案文献１参照）。
上記昇華プリントが施されたタオル織物は、タオル織物の一部に吸水性の著しく悪い面を有することなり、又、タオル織物織成後に、昇華転写プリント工程を有し、設備面で非経済的であるという欠点を有していた。【０００４】  又、コンピュータに取り込まれた画像データをもとにディザ法により中間的色調を限定した色数によって擬似的に再現するマトリックス組織図を作成し、この組織図に従い緯糸を割り当て、緯糸のうちから１色を経色糸として選定する写真織が提案されている（例えば、特許文献８又は特許文献９参照）。しかしながら、この方法はゴブラン織の応用で減色した色を緯糸とし、緯色糸のうちの１色を経糸の色としているため、本願発明の色の濃淡により写真織物を織成する方法とは異なる。【０００５】  又、接結点に現れる経糸の色彩に影響されることなく緯糸の色彩によって表現したフルカラー織絵画が提案されている（例えば、特許文献１０参照）。しかしながら、この製織方法はカード枚数の節約を考えて計算式が設定されておらず、メートルとの関係を無視して画像が作られるため生産コストがかかる。又、最近傍法や線形補間法を使用していないため画像が荒く、写真織物としてはシャギーが荒くモザイク状になり、タオル織機を用いての写真織物には不向きであるという不具合を有していた。
【特許文献１】特表２００４−５０９２４４号公報
【特許文献２】特開２００２−３０２８４３号公報
【特許文献３】特開２００１−２２６８４８号公報
【特許文献４】特開２０００−２１２８５０号公報
【特許文献５】特開平１１−２５６４４８号公報
【特許文献６】特開平７−２１６６８２号公報
【特許文献７】特開２０００−１７８８８６号公報
【特許文献８】特公平７−８８６１０号公報
【特許文献９】特公平７−８８６０８号公報
【特許文献１０】特開２００３−２０１６４５号公報
【実用新案文献１】
実用新案登録第３０５９９５０号の実用新案公報
【発明の開示】
【発明が解決しようとする課題】
【０００６】  現在のタオル織機は８色以下の緯糸しか使用できず、又、タオル織物の機能面を重要視して低密度に打ち込むように構成されている。そこで、本願発明は、多数の色糸を必要とするＲＧＢ分解を用いることなく、高周波成分を落とし８色以下の限られた色のうちで色を選定し、少ない色糸で濃淡を設けて遠近感を表現し写真風の織物を製織可能にしようとするものである。
【課題を解決するための手段】
【０００７】  本願発明のうち請求項１記載の発明は、コンピュータ処理されたデータにより、タオル織機で織物の表側に表出した緯糸又は上糸で柄を織物に表現する写真風織物の製織方法において、写真、絵画等を画像入力手段により光学的に読み取り、フルカラー画像データとして、解像度が使用するタオル織機のデータに対応してピクセル調整されたコンピュータに取り込む工程と、取り込まれたフルカラーの画像データのコントラストを強調させる工程と、コントラストを強調したフルカラー画像データを、高周波成分を削除して減色し、減色された色のうちグラディエーションを利用して写真風柄の表現に必要な色を、使用するタオル織機の色糸限定数の範囲内で選定し、選定された色を緯糸又は上糸に割り当て、擬似的にグラディエーションを有する画像データを作成する工程と、使用するタオル織機の色糸情報と縦方向密度情報をコンピュータに入力し、これらの情報に基づいて画像データを変換する工程とにより作成された織成データに従ってタオル織機を駆動させ、織物の柄を緯糸又は上糸を表出配設させ、グラディエーションを設けることにより遠近感を有する写真風に織成することを特徴とする。
本願発明のうち請求項２記載の発明は、上記選定された色が、夫々彩度と明度が互いに近い色であることを特徴とする。
【発明の効果】
【０００８】  本願発明は人の目に特に気にならない色を削除して減色し、パイル製織用ジャガード織機で用いられる節約織りで写真風織物を製織可能にし、経済的負担を図り得るという効果がある。
又、図柄に好適なグラディエーションを有する色を選定し選定された色の緯糸を表面に表出して織成するので、太番手の糸で低密度に織成しても、近距離で恰も遠近感を有する写真のような図柄に見える。又、使用糸量が少なくても写真風織物を織成可能なため、タオル織物の機能を損なうことなく良質で安価な製品を提供し得るという効果がある。
【発明を実施するための最良の形態】
【実施例１】
【０００９】  写真等のグラディエーションを多用した画像をカラースキャナ等の画像入力装置により読み取り、コンピュータにフルカラーのデジタル画像データとして取り込む。画像データ取り込みの場合、ピクセルと使用するタオル織機の紋丈及び紋口との関係を関連づけるピクセル調整を行う必要がある。つまり、１ピクセルを糸の上と落のデータとしてとらえ、ピクセルの存在するところは糸の組織も存在すると設定し、解像度は使用するタオル織機のデータに対応するようにピクセル調整を行なう。ピクセル調整を行わない場合、写真の網点を調整しても網点は織機データとしては消去され、又、網がけを行うことで擬似的なグラディエーションを作成している部分が消去されてしまうという理由による。【００１０】  取り込まれたフルカラーの画像データはコントラストを強調する画像調節を行う。画面の明度や色彩差を増幅することで色の濃淡を調整する。原画像の位置（ｘ，ｙ）の画素濃度ｆ（ｘ，ｙ）を処理画像（ｘ，ｙ）における濃度ｇ（ｘ，ｙ）とし、画像の濃度、つまり明るさをｎ倍する場合は、これらの関係はｇ（ｘ，ｙ）＝ｎ×ｆ（ｘ，ｙ）となる。画像データはコントラスト強調の段階ではフルカラーで行う。１画素８ビットの場合、表現可能な濃度範囲は０〜２５５となり計算値が２５５を越える場合は２５５に制限することになるため、ｎの値を大にすると画像データは白くなる。それゆえ、実際の画像のコントラストを調整しながらｎの値を選定する。【００１１】  次に減色工程について説明する。
例えば、Ｒ、Ｇ、Ｂを夫々１ビット＝８色（２（Ｒ）×２（Ｇ）×２（Ｂ））まで減色する。つまり、人間の目に明瞭に認識しにくい高周波成分を削除する。この削除方法の具体例として、ランレングス符号、予測符号化（ＤＰＣＭ）、ハフマン符号化等が考えられる。グラフィックＶＲＡＭは画素当り４ビットの容量の場合、２４＝１６種類のパレットを使用でき、１６色の濃淡情報を割り当てられる。又、Ｒ、Ｇ、Ｂの夫々が２４（Ｒ）×２４（Ｇ）×２４（Ｂ）＝４０９６色と夫々の濃淡情報となる。減色の場合、特定の色を表現する場合は色の選択に幅を持たせるためにＲ、Ｇ、Ｂを２ビット以上、つまり２２×２２×２２＝６４色以上で減色することも考えられる。
例えば６色しか使用できないタオル織機の場合、毛中のパイル部分に緯糸１色を使用するとすると、ボーダー部の緯糸には残り５色が割り当てられる。グラフィックの初期状態では、パレット各色は０：黒、１：薄青、２：薄赤、３：薄黄、４：薄緑、５：薄水色、６：薄黄色、７：灰色（明）、８：灰色（暗）、９：青、１０：赤、１１：紫、１２：緑、１３：水色、１４：黄色、１５：白に設定されている。この段階で写真風織物を作成するのに不必要な色を除去する。白黒写真を使用する場合を例にとると、濃淡情報は１色目：（純黒、写真の最も暗い影部分）パレット０：Ｒ（０）Ｇ（０）Ｂ（０）、２色目（純白、光の当たっている最も明るい部分）パレット１５：Ｒ（１５）Ｇ（１５）Ｂ（１５）、１色目と２色目のグラディエーションとなる３色目（濃灰）パレット３：Ｒ（３）Ｇ（３）Ｂ（３）、４色目（中間灰）パレット７：Ｒ（７）Ｇ（７）Ｂ（７）、５色目（薄灰）パレット１２：Ｒ（１２）Ｇ（１２）Ｂ（１２）と設定し、パレット番号とＲ、Ｇ、Ｂを割り当てることで擬似色に５色の写真風織物が作成可能となる。モノトーン写真風織物を作成する場合は上記パレット番号＋Ｒ、Ｇ、Ｂに最も近い色を色糸に使用する。又、カラー写真風織物を作成する場合は、インデックスカラー変換したものを最も近い色の集合体を選び、目測によりグラディエーションの違和感を感じないように不要な色を削除、若しくは置換して選定した色で表現する。選定された色は彩度と明度が近いものであり、カラーパレットの上の彩度と明度が同系統であるものであると、グラディエーションにより写真風に表現しやすい。
上記作業は市販フォトレタッチソフト、ドロー系或はベクトル系ソフトを使用して作成すると効率的に行うことができる。
尚、色糸が８色以下しか使用できないタオル織機の場合、フルカラー画像データから高周波成分のすべてを削除することに加え、グラディエーションは網がけを行い、この網がけを掛け合わせる色糸の選定作業は人の目に頼る。例えば明るい色の場合は白を、次は明るい灰色を、コントラストを下げる場合は白の次に濃い灰色を、細かなグラディエーションとなる白と灰色の中間色は白色糸と灰色糸を交互に表側に表出する。
具体例として図１に示すカラー写真をフルカラーの画像データとしてコンピュータに取り込み、図２に示すように高周波成分の削除を行って目立たない色を削除し減色後、残った色のうちから５色を選定し、黒１、濃茶２、中間茶３、薄茶４、白５で画像の網点部分を作成するものである。【００１２】  次に製織データの作成を行う。
画像データは縦横のピクセル数と織機データであるＣＧＳの紋丈、紋口が、横ピクセル数＝紋口、縦のピクセル数＝紋丈の関係にあり、画像データを紋口数と紋丈数を織成する織物のサイズに合わせる。この場合、縦の紋丈数は、カード枚数に応じて作成する。まず、紋丈数を決定するためにメートルの作成を設定する。メートルとは抒替えの情報、つまり緯色糸情報と縦１インチ間の糸密度及び単動若しくは節約の情報を埋め込むデータ領域を示す。メートル作成方法は、ＣＧＳ作成用ソフトにより異なるが、一般に次の方法で作成する。メートルの本数は織物の組織により変化するために必ずしも特定本数が定まらないが、例えば２色の平地部分を節約カードとして作成するときはメートルの本数は２本、３色の平地部分を節約カードとして作成するときはメートルは３本作成することが好適である。このとき、メートルの情報として抒替え情報を埋め込む。抒替え情報として埋め込まれるのは緯色糸の指定情報と縦方向の１インチ間の密度の情報である。Ｘ．ｌｅｎｇｔｈを画像データの縦方向のピクセル数、Ｎを織成する織物の長さ（単位：ｃｍ）、Ｐを織物の縦方向１インチ間の密度、Ｍを縮率とすると、Ｘ．ｌｅｎｇｔｈ＝（Ｎ÷２．５４）×ｐ×（１＋０．０１×Ｍ）の式が成立する。Ｘ．ｌｅｎｇｔｈは単動のピクセル数として計算され、単動のタオル織機を用いる場合は、上記Ｘ．ｌｅｎｇｔｈの値を節約タオル織機を用いる場合は使用する色数で割った値を節約のデータとして換算される。図３は５色の緯糸を表面に織り出した繻子織の密度を高める前の表面図、図４は赤色糸６、青色糸７、ピンク色糸８、緑色糸９、黄色糸１０の密度を高めた状態の表面図である。５色の糸のうちの青色糸７、ピンク色糸８、緑色糸９及び黄色糸１０の４色の糸は裏に隠れ、赤色糸６の１色の糸のみが表出し表側は恰も赤色糸６の１色の糸しか見えないようにする必要があり、各糸が表に出る確率は１／５ということになる。つまり、画像データの解像度はそのままで、縦方向ピクセル数（紋丈）のみ１／５に縮小するようになる。１１は経糸、１２は留め糸である。
一般にある点（ｘ，ｙ）が縮小又は拡大され（Ｘ，Ｙ）に位置変更する場合にはＸ＝ａｘ、Ｙ＝ｂｙの関係が成立する。拡大又は縮小を行う場合は、この工程において線形補間法が用いられる。ａ＜１及びｂ＜１の場合は縮小になり、ａ＞１及びｂ＞１の場合は拡大になる。すべての画素点にＸ＝ａｘ，Ｙ＝ｂｙの公式が用いられ、出力画面上の点（Ｘ，Ｙ）の濃度値に入力画面上（ｘ，ｙ）の濃度値を書き込む。縮小の場合、配列した緯糸の中間に位置する色が削除される場合がある。例えば、図５に示す出力画面の図案を１／５に縮小すると上下両端の赤色１３と青色１４のみが残ってしまうという不具合が生じる。これを解決するために、線形補完法と同時に最近傍法を用い、四捨五入して画面上の座標（Ｘ，Ｙ）に最も近い格子点を選ぶ。【００１３】  低密度で織機データを作ることでピクセルが一部消えてしまいモザイク状になってしまった部分は、写真風になるようにドット消去等の修正作業を行ない、例えば図１及び図２に示す画像データに関しては図７に示すように織りデータを分解する。この場合、写真風に画像が変換されていれば、組織に関係なく写真風織物となる。この紋紙情報を自動紋彫装置に出力するか、又はジャガード機に直接出力して竪針運動を行わせて図８に示す写真風織物を得る。【００１４】  本願発明は織物の表側に表出する緯色糸をあげとして組織を組み込み、その他の緯色糸は裏側に隠してしまうが、網点や濃淡が明白でない部分は、分解段階がドットが消えないようにドットの周囲にさらに異なる組織、つまり通常は上げ組織を入れることで、先の特色分解が消えないように組織を組み込む。例えば図９のように、黒部分で経糸を表出して緯糸を留めるが、青色の緯糸の組織部分１５と赤色の緯糸の組織部分１６との境界部分１７の黒部分１８を除去し、図１０に示すように右側部分は、右側部分の色と同色の緯糸を表側に出し、左側部分は左側部分の色と同色の緯糸を表側に出して留め糸である経糸を下に隠して、夫々上げ組織１９、２０を入れることで色彩等の境界を明瞭にする。【００１５】  実施例１は犬の毛の部分を茶色系、白色、鼻の部分を黒色にし、彩度と明度の異なる色を用いて遠近感を有する写真風織物を製織した。しかし、本願発明には彩度と明度が近い色を夫々緯糸又は上糸に選定し、グラディエーションにより遠近感をもたせることも包含される。無模様かつ一色の物体、例えば無模様且つ一色の自動車を斜め前方から撮影した写真を基礎として写真風織物を製織する場合においては、メインの一色を中心としこのメインの色と彩度と明度が近い色によりグラディエーションを形成して車体の遠近感を表現することにより写真風織物を製織することができる。
【産業上の利用可能性】
【００１６】  本願発明はタオル織機に限定せず、汎用織機でも適用できる。
【図面の簡単な説明】
【００１７】
【図１】原画である。（実施例１）
【図２】色糸分解した画像データである。（実施例１）
【図３】密度を高める前の表面図である。（実施例１）
【図４】密度を高めた後の表面図である。（実施例１）
【図５】入力画面である。（実施例１）
【図６】出力画面である。（実施例１）
【図７】織りデータ分解図である。（実施例１）
【図８】写真風織物である。（実施例１）
【図９】境界部分の留め用経糸を黒い部分で説明した図である。（実施例１）
【図１０】異なる上げ組織を入れた説明図である。（実施例１）
【図１】
2006152520.tif 000003
【図２】
2006152520.tif 000004
【図３】
2006152520.tif 000005
【図４】
2006152520.tif 000006
【図５】
2006152520.tif 000007
【図６】
2006152520.tif 000008
【図７】
2006152520.tif 000009
【図８】
2006152520.tif 000010
【図９】
2006152520.tif 000011
【図１０】
2006152520.tif 000012